(57)【特許請求の範囲】
【請求項１】
送風機により、室内空気を吸入口から吸入し、室内熱交換器で熱交換後、風路壁により斜め下方に向かって形成された吹き出し風路を通し、吹き出し口から室内に吹き出し、また、前記風路壁の吹き出し口側先端部に結露防止用の段差部を形成した空気調和機の室内機において、
前記吹き出し風路の途中の前記風路壁にファンガードを取付け、前記段差部へ接近する前記ファンガードの部分を前記段差部に対して前記吹き出し風路の上流側に離れるように配置したことを特徴とする空気調和機の室内機。
【請求項２】
前記ファンガードの前記段差部への接近部分を前記吹き出し風路の上流側に折り曲げることにより前記段差部から離れるようにしたことを特徴とする請求項１記載の空気調和機の室内機。
【請求項３】
前記吹き出し風路に、第１風向変更装置及び前記第１風向変更装置とは吹き出し調整方向が異なる第２風向変更装置を設置し、前記吹き出し風路の上流側から前記第１風向変更装置、前記ファンガード、前記第２風向変更装置の順に配置したことを特徴とする請求項２記載の空気調和機の室内機。
【請求項４】
前記ファンガードを二分割し、前記段差部に接近する方の前記ファンガードの分割部をもう一方の分割部の前記風路壁の取付け部より上流側に取付けたことにより前記段差部から離れるようにしたことを特徴とする請求項１記載の空気調和機の室内機。
【請求項５】
前記吹き出し風路に、第１風向変更装置及び前記第１風向変更装置とは吹き出し調整方向が異なる第２風向変更装置を設置し、前記吹き出し風路の上流側から前記上流側に取付けたファンガードの分割部、前記第１風向変更装置、前記もう一方のファンガードの分割部、第２風向変更装置の順に配置したことを特徴とする請求項４記載の空気調和機の室内機。
【発明の詳細な説明】
【０００１】
【発明の属する技術分野】
本発明は、空気調和機の室内機に関するものであり、特に室内機の吹き出し風路の改善に関するものである。
【０００２】
【従来の技術】
従来より空気調和機の室内機においては、吹き出し口の結露防止手段として、実願昭５４−１５８１３５号（実開昭５６−０７５６２７）マイクロフィルムに示すように、吹き出し口に段差部を設け、吹き出し口やベーンへの外部空気である室内空気の巻き込みを防止し、結露を防ぐ手段が取られている。
図４は、従来の室内機を示し、図４（ａ）は、その要部断面図であり、図４（ｂ）は、その段差部を示す要部断面図である。図４（ａ）、（ｂ）において、室内機においては、送風機４により前面パネル７の吸い込み口から吸い込まれた室内空気Ａは、冷房運転時蒸発器となる室内熱交換器３で冷却され、冷気通風路５ａで形成される吹き出し風路５に従い図示Ｂ方向に流れ、風向変更装置である上下ベーン６により流線方向を定め、吹き出し口１より室内に吹き出される。
前記吹き出し口１の周辺部表面や上下ベーン６は吹き出される冷気によって室内温度以下に冷やされるため、室内空気の巻き込みがあると結露を生じる。この結露を防ぐため、前記吹き出し口１に、寸法Ｌ１、Ｌ２の段差壁面２１、２２からなる段差部２０を設け室内空気の巻き込みを防いでいる。
【０００３】
【発明が解決しようとする課題】
このような室内機においては、安全面より指等の侵入を防ぐため吹き出し口１にファンガードを取り付ける場合があるが、ファンガードが段差部２０に接近すると、段差部２０での風の流れに影響を与え、結露防止効果をなくしてしまう場合があった。
特に、吹き出し風路５に上下ベーン６及び風向ルーバを設置した場合、ファンガードの設置場所が規制され、ファンガードが前記段差部２０に接近することが生じやすくなる。
【０００４】
本発明は前記のような問題点を解決するためになされたもので、段差部２０による結露防止効果を損なうことがないように、ファンガードを設置し、結露防止効果及び安全確保効果を両立させることを目的とする。
また、吹き出し風路５に上下ベーン６及び風向ルーバのような風向変更装置を設置した場合でも、ファンガードが段差部の結露防止効果を損なわないようにファンガードを設置し、結露防止効果、安全確保効果及び風向変更効果を得ることを目的とする。
【０００５】
【課題を解決するための手段】
本発明の請求項１の空気調和機の室内機は、送風機により、室内空気を吸入口から吸入し、室内熱交換器で熱交換後、風路壁により斜め下方に向かって形成された吹き出し風路を通し、吹き出し口から室内に吹き出し、また、風路壁の吹き出し口側先端部に結露防止用の段差部を形成した空気調和機の室内機において、吹き出し風路の途中の風路壁にファンガードを取付け、段差部へ接近するファンガードの部分を段差部に対して吹き出し風路の上流側に離れるように配置したものである。
【０００６】
また、請求項２の空気調和機の室内機は、請求項１において、ファンガードの段差部への接近部分を吹き出し風路の上流側に折り曲げることにより段差部から離れるようにしたものである。
【０００７】
また、請求項３の空気調和機の室内機は、請求項２において、吹き出し風路に、第１風向変更装置及び第１風向変更装置とは吹き出し調整方向が異なる第２風向変更装置を設置し、吹き出し風路の上流側から第１風向変更装置、ファンガード、第２風向変更装置の順に配置したものである。
ここで、第１風向変更装置及び第２風向変更装置とは、例えば、上下方向及び左右方向のように、それぞれ吹き出し調整方向が異なる風向変更装置を意味する。
【０００８】
また、請求項４の空気調和機の室内機は、請求項１において、ファンガードを二分割し、段差部に接近する方のファンガードの分割部をもう一方の分割部の風路壁の取付け部より上流側に取付けたことにより段差部から離れるようにしたものである。
【０００９】
また、請求項５の空気調和機の室内機は、請求項４において、吹き出し風路に、第１風向変更装置及び第１風向変更装置とは吹き出し調整方向が異なる第２風向変更装置を設置し、吹き出し風路の上流側から上流側に取付けたファンガードの分割部、第１風向変更装置、もう一方のファンガードの分割部、第２風向変更装置の順に配置したものである。
ここで、第１風向変更装置及び第２風向変更装置とは、例えば、上下方向及び左右方向のように、それぞれ吹き出し調整方向が異なる調整器を意味する。
【００１０】
【発明の実施の形態】
実施の形態１．
図１は、壁掛け型空気調和機の室内機の断面図、図２は、同じく吹き出し風路を示す要部断面図である。
図１、図２において、送風機４により前面パネル７の吸入口より吸い込まれた室内空気Ａは冷房運転時蒸発器となる室内熱交換器３で冷却され、ダクト１０、ケーシング１１及びスタビライザ１２等からなる風路壁２により形成される吹き出し風路５に従い図示Ｂ方向に流れ、左右の風向方向を調整する風向ルーバ８、指侵入防止等の安全確保を目的とするファンガード９、上下の風向方向を調整する上下ベーン６を通り、吹き出し口１より室内へ吹き出される。
また、風路壁２の吹き出し口側先端部には、室内空気の巻き込みによって吹き出し口の周辺部に生じる結露を防止する結露防止用の段差部２０が形成されている。
なお、図１の矢印は空気の流れを示す。
【００１１】
ファンガード９は、吹き出し風路５において、上下ベーン６と風向ルーバ８との間に配置され、風路壁２のダクト１０にネジで取り付けられている。
室内機は、風路壁２により形成される吹き出し風路５が斜め下方になるように設置されるため、風路壁２に取付けられたファンガード９は図１、図２の下側に示す段差部２０に接近しやすい。この段差部２０にファンガード２０が接近し、空気の流れに影響を与え、段差部２０の結露防止効果を損なうことがないように、図で下側に向かうファンガード９を中央部から吹き出し風路５の上流側に折り曲げ、さらにその先端部を再度折り曲げ、段差部がファンガード９から離れるようにしている。
ファンガード９は、安全確保のため、又段差部２０は室内空気の巻き込みをなくして結露を防止するため、両者ともに吹き出し風路５の吹き出し口１側に設置するのが好ましいが、前記のようにファンガード９を取付け、形成することにより段差部での室内空気の流れに影響を与えることなく、室内空気の巻き込みを防ぎ、また、安全確保も可能となる。
【００１２】
風路壁２に取付けられた、全体的に平板状のファンガード９が段差部２０に接近するのを防止するために吹き出し風路５の上流側に折り曲げる方法は、前記に限るものではなく、取付け部と反対側の先端部のみを曲げてもよいし、又曲げる場所、回数も問わない。要するに、ファンガード９を取付けることにより段差部の室内空気の巻き込み防止及び結露防止効果を損なわないように、かつ、安全確保が図れるようにできればよい。
また、本実施の形態では、ファンガード９の上流、下流側に風向ルーバ８、上下ベーン６を配設する構造としたが、それに限ることはなく、両者の配置を上流、下流反対にしても、必要に応じてどちらか一方にしても、もしくはどちらもなくても同様に結露防止効果と安全確保効果は得られる。
【００１３】
なお、室内機の吹き出し風路５において、ファンガード９の上流、下流に、風向ルーバ８、上下ベーン６のように、それぞれ、吹き出し調整方向が異なる二つの風向変更装置（第１風向変更装置、第２風向変更装置とする。但し、どちらが第１風向変更装置、第２風向変更装置でもよい。）を設置することにより、前記の両効果に加えて吹き出し方向の調節も可能となる。
さらに、独立に風向変更装置は設けずに、ファンガード９に安全機能と共に風向変更機能を持たせるようにしてもよい。この場合、上下方向、左右方向等複数の方向変更機能を持たせても、特定の変更機能を持たせ、吹き出し風路５に、独立に風向変更装置を設けてもよい。
【００１４】
実施の形態２．
図３は、壁掛け型空気調和機の室内機の吹き出し風路を示す要部断面図である。
本実施の形態では、ファンガード９の形状及び風路壁２への取付けが前記実施の形態１と異なるだけで、その他の点は同様である。
本実施の形態では、ファンガード９を二分割し、上下２つに分割し、段差部２０に接近する方のファンガードの分割部９ｂを、もう一方のファンガード９ａより、吹き出し風路５の上流側に取付け、段差部２０から離したものである。このようにすることで、ファンガード９ａは、できるだけ吹き出し口１に近く設けることで安全を確保し、ファンガード９ｂは、段差部２０の結露防止効果を損わないだけ離して設置することで、結露防止と安全確保が可能である。
【００１５】
本実施の形態では、第１風向変更装置及び第２風向変更装置を設置する場合は、吹き出し風路５の上流側からファンガード９ｂ、第１風向変更装置又は第２風向変更装置、ファンガード９ａ、第２風向変更装置又は第１風向変更装置前記実施の順に設置する。但し、第１風向変更装置及び第２風向変更装置に関しては、設置しなくてもいいし、片方だけをどちらかに設置してもよい。
また、独立の風向変更装置は設けずにファンガード９ａ、９ｂに底機能も持たせてもよい。
【００１６】
【発明の効果】
本発明の請求項１の空気調和機の室内機は、送風機により、室内空気を吸入口から吸入し、室内熱交換器で熱交換後、風路壁により斜め下方に向かって形成された吹き出し風路を通し、吹き出し口から室内に吹き出し、また、風路壁の吹き出し口側先端部に結露防止用の段差部を形成した空気調和機の室内機において、吹き出し風路の途中の風路壁にファンガードを取付け、段差部に接近するファンガードの部分を段差部に対して吹き出し風路の上流側に離れるように配置したので、段差部による吹き出し口付近での結露防止効果を打ち消すことなく、安全確保用のファンガードを取り付けることが可能となり、結露防止効果及び安全確保効果が両立できる。
【００１７】
また、請求項２の空気調和機の室内機は、請求項１において、ファンガードの段差部への接近部分を吹き出し風路の上流側に折り曲げることにより段差部から離したので、簡単に結露防止及び安全確保が可能となる。
【００１８】
また、請求項３の空気調和機の室内機は、請求項２において、吹き出し風路に、第１風向変更装置及び第１風向変更装置とは吹き出し調整方向が異なる第２風向変更装置を設置し、吹き出し風路の上流側から第１風向変更装置、ファンガード、第２風向変更装置の順に配置したので、結露防止効果及び安全確保効果が得られるとともに、方向の異なる二種類の吹き出し調整が可能となる。
【００１９】
また、請求項４の空気調和機の室内機は、請求項１において、ファンガードを二分割し、段差部に接近する方のファンガードの分割部をもう一方の分割部の風路壁の取付け部より上流側に取付けたことにより段差部から離れるようにしたので、簡単に結露防止及び安全確保が可能となる。
【００２０】
また、請求項５の空気調和機の室内機は、請求項４において、吹き出し風路に、第１風向変更装置及び第１風向変更装置とは吹き出し調整方向が異なる第２風向変更装置を設置し、吹き出し風路の上流側から上流側に取付けたファンガードの分割部、第１風向変更装置、もう一方のファンガードの分割部、第２風向変更装置の順に配置したので、結露防止効果及び安全確保効果が得られるとともに、方向の異なる二種類の吹き出し調整が可能となる。
【図面の簡単な説明】
【図１】  この発明の実施の形態１の空気調和機の室内機の断面図である。
【図２】  この発明の実施の形態１の空気調和機の室内機の吹き出し風路を示す要部断面図である。
【図３】  この発明の実施の形態２の空気調和機の室内機の吹き出し風路を示す要部断面図である。
【図４】  従来の空気調和機の室内機の断面図である。
【符号の説明】
１  吹き出し口、２  風路壁、３  室内熱交換器、４  送風機、５  吹き出し風路、６  第１風向変更装置（第２風向変更装置）、８  第２風向変更装置（第１風向変更装置）、９  ファンガード、９ａ、９ｂ  ファンガードの分割部、２０  段差部。
【図１】
0003843424.tif 000002
【図２】
0003843424.tif 000003
【図３】
0003843424.tif 000004
【図４】
0003843424.tif 000005